【手続補正書】
【提出日】平成15年11月28日(2003.11.28)
【手続補正１】
【補正対象書類名】明細書
【補正対象項目名】発明の名称
【補正方法】変更
【補正の内容】
【発明の名称】情報処理装置、情報処理方法、並びに記録媒体


【手続補正２】
【補正対象書類名】明細書
【補正対象項目名】特許請求の範囲
【補正方法】変更
【補正の内容】
【特許請求の範囲】
【請求項１】
ホームページの位置情報と、当該ホームページに関する画像情報とを
取得する取得手段と、
前記取得した位置情報と画像情報とを対応付けて、栞情報として登録する登録手段と
を具えたことを特徴とする情報処理装置。
【請求項２】
前記取得手段は、更に当該ホームページのタイトル情報を取得し、
前記登録手段は、前記取得した位置情報と画像情報とタイトル情報とを対応付けて、栞
情報として登録することを特徴とする請求項１記載の情報処理装置。
【請求項３】
前記ホームページに関する画像情報とは、当該ホームページの表示を
行った場合の表示画像を縮小して生成された画像であることを特徴とする請求項１又は２
記載の情報処理装置。
【請求項４】
前記登録手段で登録された栞情報を、一覧表示する表示手段をさらに
具えたことを特徴とする請求項１ないし３のいずれかに記載の情報処理装置。
【請求項５】
前記表示手段は、
前記栞情報を表示する際、該栞情報として、画像のみ一覧表示するか、文字のみ一覧表
示するか、画像と文字との両方を一覧表示するかを、ユーザの指示にしたがって選択する
選択手段を含むことを特徴とする請求項４記載の情報処理装置。
【請求項６】
画像のページ位置情報と、当該画像を縮小して生成された縮小画像情
報とを取得する取得手段と、
前記取得したページ位置情報と縮小画像情報とを対応付けて、索引情報として登録する
登録手段と、
前記登録手段で索引情報として登録されたページ位置情報と縮小画像情報とを、一覧表
示する表示手段と
を具えたことを特徴とする情報処理装置。
【請求項７】
前記画像は、着脱自在な記憶媒体内のデータベースに格納された画像
であることを特徴とする請求項６記載の情報処理装置。
【請求項８】
ホームページの位置情報と、当該ホームページに関する画像情報とを
取得する取得工程と、
前記取得した位置情報と画像情報とを対応付けて、栞情報として記憶手段に登録する登
録工程と
を具えたことを特徴とする情報処理方法。
【請求項９】
前記取得工程は、更に当該ホームページのタイトル情報を取得し、
前記登録工程は、前記取得した位置情報と画像情報とタイトル情報とを対応付けて、栞
情報として記憶手段に登録することを特徴とする請求項８記載の情報処理方法。
【請求項１０】
前記ホームページに関する画像情報とは、当該ホームページの表示
を行った場合の表示画像を縮小して生成された画像であることを特徴とする請求項８又は
９記載の情報処理方法。
【請求項１１】
前記登録工程で前記記憶手段に登録された栞情報を、一覧表示する
表示工程をさらに具えたことを特徴とする請求項８ないし１０のいずれかに記載の情報処
理方法。
【請求項１２】
前記表示工程は、
前記栞情報を表示する際、該栞情報として、画像のみ一覧表示するか、文字のみ一覧表
示するか、画像と文字との両方を一覧表示するかを、ユーザの指示にしたがって選択する
選択工程を含むことを特徴とする請求項１１記載の情報処理方法。
【請求項１３】
画像のページ位置情報と、当該画像を縮小して生成された縮小画像
情報とを取得する取得工程と、
前記取得したページ位置情報と縮小画像情報とを対応付けて、索引情報として記憶手段
に登録する登録工程と、
前記登録工程で索引情報として登録されたページ位置情報と縮小画像情報とを、一覧表
示する表示工程と
を具えたことを特徴とする情報処理方法。
【請求項１４】
前記画像は、着脱自在な記憶媒体内のデータベースに格納された画像
であることを特徴とする請求項１３記載の情報処理方法。
【請求項１５】
ホームページの位置情報と、当該ホームページに関する画像情報と
を取得する取得ステップと、
前記取得した位置情報と画像情報とを対応付けて、栞情報として記憶手段に登録する登
録ステップと
を具えたことを特徴とするコンピュータ読取可能な情報処理プログラムを格納した記録媒
体。
【請求項１６】
前記取得ステップは、更に当該ホームページのタイトル情報を取得
し、
前記登録ステップは、前記取得した位置情報と画像情報とタイトル情報とを対応付けて
、栞情報として記憶手段に登録することを特徴とする請求項１５記載のコンピュータ読取
可能な情報処理プログラムを格納した記録媒体。
【請求項１７】
前記ホームページに関する画像情報とは、当該ホームページの表示
を行った場合の表示画像を縮小して生成された画像であることを特徴とする請求項１５又
は１６記載のコンピュータ読取可能な情報処理プログラムを格納した記録媒体。
【請求項１８】
前記登録ステップで前記記憶手段に登録された栞情報を、一覧表示
する表示ステップをさらに具えたことを特徴とする請求項１５ないし１７のいずれかに記
載のコンピュータ読取可能な情報処理プログラムを格納した記録媒体。
【請求項１９】
前記表示ステップは、前記栞情報を表示する際、該栞情報として、
画像のみ一覧表示するか、文字のみ一覧表示するか、画像と文字との両方を一覧表示する
かを、ユーザの指示にしたがって選択する選択ステップを含むことを特徴とする請求項１
８記載のコンピュータ読取可能な情報処理プログラムを格納した記録媒体。
【請求項２０】
画像のページ位置情報と、当該画像を縮小して生成された縮小画像
情報とを取得する取得ステップと、
前記取得したページ位置情報と縮小画像情報とを対応付けて、索引情報として記憶手段
に登録する登録ステップと、
前記登録ステップで索引情報として登録されたページ位置情報と縮小画像情報とを、一
覧表示する表示ステップと
を具えたことを特徴とするコンピュータ読取可能な情報処理プログラムを格納した記録媒
体。
【請求項２１】
前記画像は、着脱自在な記憶媒体内のデータベースに格納された画像
であることを特徴とする請求項２０記載のコンピュータ読取可能な情報処理プログラムを
格納した記録媒体。
【手続補正３】
【補正対象書類名】明細書
【補正対象項目名】０００１
【補正方法】変更
【補正の内容】
【０００１】
【発明の属する技術分野】
本発明は、栞やインデックスに、文字情報のみならず他の付随情報を付加することが可
能な、情報処理装置、情報処理方法、並びに記録媒体に関する。


【手続補正４】
【補正対象書類名】明細書
【補正対象項目名】０００５
【補正方法】変更
【補正の内容】
【０００５】
そこで、本発明の目的は、栞として登録される情報内容をより詳細に記述することにより、検索情報を簡単に行い、作業の効率化を図ることが可能な、情報処理装置、情報処理方法、並びに記録媒体を提供することにある。


【手続補正５】
【補正対象書類名】明細書
【補正対象項目名】０００６
【補正方法】変更
【補正の内容】
【０００６】
【課題を解決するための手段】
本発明は、ホームページの位置情報と、当該ホームページに関する画像情報とを取得す
る取得手段と、前記取得した位置情報と画像情報とを対応付けて、栞情報として登録する
登録手段とを具えることによって、情報処理装置を構成する。


【手続補正６】
【補正対象書類名】明細書
【補正対象項目名】０００７
【補正方法】変更
【補正の内容】
【０００７】
前記取得手段は、更に当該ホームページのタイトル情報を取得し、前記登録手段は、前記取得した位置情報と画像情報とタイトル情報とを対応付けて、栞情報として登録してもよい。


【手続補正７】
【補正対象書類名】明細書
【補正対象項目名】０００８
【補正方法】変更
【補正の内容】
【０００８】
前記ホームページに関する画像情報とは、当該ホームページの表示を行った場合の表示画像を縮小して生成された画像としてもよい。


【手続補正８】
【補正対象書類名】明細書
【補正対象項目名】０００９
【補正方法】変更
【補正の内容】
【０００９】
前記登録手段で登録された栞情報を、一覧表示する表示手段をさらに具えてもよい。


【手続補正９】
【補正対象書類名】明細書
【補正対象項目名】００１０
【補正方法】変更
【補正の内容】
【００１０】
前記表示手段は、前記栞情報を表示する際、該栞情報として、画像のみ一覧表示するか、文字のみ一覧表示するか、画像と文字との両方を一覧表示するかを、ユーザの指示にしたがって選択する選択手段を含んでもよい。


【手続補正１０】
【補正対象書類名】明細書
【補正対象項目名】００１１
【補正方法】変更
【補正の内容】
【００１１】
本発明は、画像のページ位置情報と、当該画像を縮小して生成された縮小画像情報とを取得する取得手段と、前記取得したページ位置情報と縮小画像情報とを対応付けて、索引情報として登録する登録手段と、前記登録手段で索引情報として登録されたページ位置情報と縮小画像情報とを、一覧表示する表示手段とを具えることによって、情報処理装置を構成する。


【手続補正１１】
【補正対象書類名】明細書
【補正対象項目名】００１２
【補正方法】変更
【補正の内容】
【００１２】
前記画像は、着脱自在な記憶媒体内のデータベースに格納された画像としてもよい。


【手続補正１２】
【補正対象書類名】明細書
【補正対象項目名】００１３
【補正方法】変更
【補正の内容】
【００１３】
本発明は、ホームページの位置情報と、当該ホームページに関する画像情報とを取得する取得工程と、前記取得した位置情報と画像情報とを対応付けて、栞情報として記憶手段に登録する登録工程とを具える情報処理方法を提供する。
本発明は、画像のページ位置情報と、当該画像を縮小して生成された縮小画像情報とを取得する取得工程と、前記取得したページ位置情報と縮小画像情報とを対応付けて、索引情報として記憶手段に登録する登録工程と、前記登録工程で索引情報として登録されたページ位置情報と縮小画像情報とを、一覧表示する表示工程とを具える情報処理方法を提供する。


【手続補正１３】
【補正対象書類名】明細書
【補正対象項目名】００１４
【補正方法】変更
【補正の内容】
【００１４】
本発明は、ホームページの位置情報と、当該ホームページに関する画像情報とを取得する取得ステップと、前記取得した位置情報と画像情報とを対応付けて、栞情報として記憶手段に登録する登録ステップとをコンピュータに実行させるためのコンピュータ読取可能な情報処理プログラムを格納した記録媒体を提供する。
本発明は、画像のページ位置情報と、当該画像を縮小して生成された縮小画像情報とを取得する取得ステップと、前記取得したページ位置情報と縮小画像情報とを対応付けて、索引情報として記憶手段に登録する登録ステップと、前記登録ステップで索引情報として登録されたページ位置情報と縮小画像情報とを、一覧表示する表示ステップとをコンピュータに実行させるためのコンピュータ読取可能な情報処理プログラムを格納した記録媒体を提供する。


【手続補正１４】
【補正対象書類名】明細書
【補正対象項目名】００１５
【補正方法】削除
【補正の内容】